(57)【要約】【課題】  スロットマシン１００に貼付する管理用シール１７１の剥離を容易にできる遊技台を提供することにある。【解決手段】  スロットマシン１００に関する種々の情報が印刷されている管理用シール１７１を、スロットマシン１００の本体１００に開閉可能に支持されている前面扉１０２の前面側に設けられている腰部パネル１５２の透視窓１５５に貼付する際に、管理用シール１７１と透視窓１５５との間に補助シール１７０を介在させて、これらを一体にして透視窓１５５に貼付する。【選択図】  図４
2005052303.tif 000002
【特許請求の範囲】
【請求項１】
遊技台の外枠と、
前記遊技台の外枠に該遊技台の前面側から開閉可能に支持され、遊技に必要な操作部材が設けられた前面扉と、
前記操作部材の他に前記前面扉の前面に施された装飾パネルと、
を有し、
前記装飾パネルに管理用シールを貼付するための貼付領域を設けた遊技台において、
前記管理用シールの前記装飾パネルの前記貼付領域への貼付は、該管理用シールと該貼付領域との間に補助シールを介在させることにより行われたことを特徴とする遊技台。
【請求項２】
前記補助シールは、前記管理用シールの平面方向にはみ出すように貼付し、該管理用シールからはみ出た該補助シールの一部をタグ状に形成したことを特徴とする請求項１に記載の遊技台。
【請求項３】
前記管理用シールとの貼付の際の位置決め用の記号を前記補助シールに設けたことを特徴とする請求項１又は２に記載の遊技台。
【請求項４】
前記補助シールに開口部を設けたことを特徴とする請求項１又は２に記載の遊技台。
【請求項５】
前記補助シールに前記開口部から外縁部までつながる切り欠き部を設けたことを特徴とする請求項４に記載の遊技台。
【請求項６】
前記補助シールに前記開口部から外縁部にまでつながる溝状の通気道を設けたことを特徴とする請求項４に記載の遊技台。
【請求項７】
前記補助シールの非接着状態領域を設けたことを特徴とする請求項１〜６のいずれかに記載の遊技台。
【発明の詳細な説明】
【技術分野】
【０００１】
本発明は、パチスロと称されるスロットマシンに代表される遊技台に関し、特に遊技台に関する。
【背景技術】
【０００２】
従来の遊技台において、遊技台の筐体の前面は全体的に装飾パネルで覆われており、そのうち遊技台のほぼ前面下半分を占める腰部パネルは、機体タイトルを印刷した印刷表示がほぼ全面に表現され、その隅部には、裏面側から管理用シール（例：特定団体の管理下にある旨証明するシール）を貼付し、その内容を確認するための透視窓が存在する。管理用シールを腰部パネルの裏面側から貼付後、腰部パネルを本体の所定箇所に取り付けている。
【０００３】
遊技台は、商品受注があるまで遊技台本体と管理用シールを貼付する遊技台の腰部パネルを別々に保管し、出荷する時点でシール番号等の必要な情報を確定させ貼付している。しかし、管理用シールは、出荷工場内で作業に不慣れな者がシールの貼付作業を行う場合、貼付作業において貼りミスが生じてしまうことがある。
【０００４】
管理用シールは、遊技台が一定の規格を有していることを保障し、証明する役割を担うことから、剥がれることがないように強固に接着されているのが一般的である。従って、上述したように、貼付作業において管理用シールの貼りミス等が生じて、一度貼付したシールを剥がし取ろうとするとシールの一部が腰部パネルに残り、管理シールの一部が破損する等の事態が生じていた。
【０００５】
これに対し、例えば下記の公報では、シール被貼付部のみを着脱可能とした遊技台パネルについて開示している。この遊技台パネルにおいて、シール用の取付板を有し、このシール取付板は遊技台パネルの挿入溝に係合可能に形成され、シール取付板面には、シールを貼付可能なシール被貼付部が備えられており、シール貼付板を遊技台パネルのシール被取付部に挿入配備することが可能である。この遊技台パネルを用いることにより、作業に熟練した者でなくても管理用シールを容易に遊技台へ取り付けが可能となる。
【０００６】
【特許文献１】実開平４−１８２２１１号公報
【発明の開示】
【発明が解決しようとする課題】
【０００７】
しかしながら、上述した公報においても、例えばシール貼付板が破損した場合、破損したシール取付板から管理用シールを剥がさなければならず、強固に接着された管理用シールを剥がし取る困難性に対する課題が残っていた。
【０００８】
本発明は、かかる点を鑑みなされたものであり、管理用シールの貼り直しを行う必要が生じた場合、従来困難であった管理用シールの取り剥がしを容易にできる遊技台を提供することを目的とした。更に本発明は、管理用シールの簡易且つ確実な貼付を保証することにより、管理用シールの剥離作業の大幅な低減を可能にした遊技台を提供することを目的とした。
【課題を解決するための手段】
【０００９】
上記目的を達成する請求項１に記載の発明は、遊技台の外枠と、遊技台の外枠に該遊技台の前面側から開閉可能に支持され、遊技に必要な操作部材が設けられた前面扉と、操作部材の他に前面扉の前面に施された装飾パネルとを有し、装飾パネルに管理用シールを貼付するための貼付領域を設けた遊技台において、管理用シールの装飾パネルの貼付領域への貼付は、該管理用シールと該貼付領域との間に補助シールを介在させることにより行われたことを特徴とする。
【００１０】
これによれば、管理シールを剥がし取る必要が生じた場合、管理用シールを補助シールと一体で剥離可能となり、管理用シールの剥離する際の損傷を回避可能となると共に、管理用シールを直接貼付領域に貼付していた従来の遊技台と比較して、補助シールの介在により管理用シールの剥離が容易となる。
【００１１】
請求項２に記載の発明は、補助シールは、管理用シールの平面方向にはみ出すように貼付し、該管理用シールからはみ出た該補助シールの一部をタグ状に形成したことを特徴とする。これにより、貼付の際に使用された接着剤の装飾パネルへの付着を確実に防止して、管理用シールの剥離を容易にすると共に、はみ出た補助シールの一部をタグ状に形成したため、管理用シールの剥離作業の効率化を図ることができる。
【００１２】
請求項３に記載の発明は、管理用シールとの貼付の際の位置決め用の記号を補助シールに設けたことを特徴とする。これによれば、管理用シールを補助シールに設けられた位置決め用の記号に合わせて貼付するだけで良いので、管理用シールの確実な貼付を保証し、これにより管理用シールの剥離作業の大幅な低減を可能にする。
【００１３】
請求項４に記載の発明は、補助シールに開口部を設けたことを特徴とする。これにより、補助シールの接着面積を小さくすることができるため、補助シールの全面で接着した場合と比較して管理用シールの剥離が容易となる。
【００１４】
請求項５に記載の発明は、補助シールに開口部から外縁部までつながる切り欠き部を設けたことを特徴とする。これにより、補助シールの剥離の容易化を図ると共に、貼付時にシール間に混入した空気を抜くことが可能となる。
【００１５】
請求項６に記載の発明は、補助シールに開口部から外縁部までつながる溝状の通気道を設けたことを特徴とする。これにより、補助シールの剥離の容易化を図ると共に、簡易な方法で貼付時にシール間に混入した空気を抜くことが可能となる。
【００１６】
請求項７に記載の発明は、補助シールに非接着状態領域を設けたことを特徴とする。これにより、接着面積を小さくできるので、剥離作業の効率化を図ることができる。
【発明の効果】
【００１７】
本発明の遊技台によれば、装飾パネルに管理用シールを貼付するための貼付領域を設け、管理用シールを装飾パネルの貼付領域に貼付する際に、管理用シールと貼付領域との間に補助シールを介在させることにより、管理用シールは補助シールと一体で剥離できるので、剥離の際の損傷を回避可能となると共に、管理用シールを容易に剥離可能となる。
【発明を実施するための最良の形態】
【００１８】
以下、本発明の好適な実施の形態について、図面を参照して説明する。なお、以下の実施の形態では、遊技台としてスロットマシンを例として説明しているが、パチンコ機やその他の遊技台にも該当するものである。
【００１９】
＜全体の構成＞
図１は、スロットマシン１００の外観を示す正面図である。
【００２０】
図１に示すように、スロットマシン１００の本体扉１０２の中央内部には、外周面に複数種類の絵柄（「ベル」「すいか」等：図示せず）を配列した円筒状のリールが３個（左リール１１０、中リール１１１、右リール１１２）収納され、本体１０１内部で回転できるよう構成され、それらは外部から視認可能となっている。
【００２１】
これらのリール１１０〜１１２が回転し、適当なタイミングで各リール１１０〜１１２が停止すると、様々な絵柄の組合せが表示されることになる。なお、本実施の形態では、３個のリールを備えているが、リールの数やリールの設置位置はこれに限定されるものではない。
【００２２】
メダル投入口ブロック１３４は、遊技を開始するに当たって遊技者が直接メダルを投入するための開口を有する。スタートレバー１３５は、遊技の開始操作として、リール１１０〜１１２の回転を開始させるレバー型のスイッチである。メダル投入ボタン１３０〜１３２は、貯留されたメダルをスロットマシン１００へ電子的に投入するための投入ボタンで、それぞれ一枚賭け（１３０）、二枚賭け（１３１）、三枚賭け（１３２）に設定されており、メダルを投入することなく遊技可能とすることができる。
【００２３】
ストップボタンユニット１３６には、上記リール１１０〜１１２にそれぞれ対応するストップボタン１３７〜１３９が設けられている。ストップボタン１３７〜１３９は、押下することによって対応するリール１１０〜１１２を停止させるボタン型のスイッチである。精算ボタン１３３は、遊技者が獲得したメダルを精算して排出する精算処理を行う場合に押下されるボタンである。
【００２４】
メダル排出口１５６は、メダルを排出するための開口であり、入賞時に払い出されるメダルはここから排出される。排出されたメダルは、受け皿１６６に溜まるようになっている。
【００２５】
スロットマシン１００の装飾パネルは、上部パネル１５０、中央パネル１５１及び腰部パネル１５２から構成されている。上部パネル１５０は、配当パネル等として、各当選役に対応した払出し枚数を表示する。中央パネル１５１は、リール部パネル等として、リール１１０〜１１２が視認できるよう開口された窓を中央に配し、遊技に関連した絵柄、告知ランプ用の装飾絵柄等を表示する。腰部パネル１５２は、タイトルパネル等として、商品名ロゴ等が表示される。この腰部パネル１５２には、従来技術で述べたように、例えば特定団体の管理下にある旨の証明するシール（以下、管理用シールと称する。）を貼付する透視窓１５５を有している。
【００２６】
装飾パネルとしては、従来から加工の容易性とコスト面を考慮して、ＡＢＳ樹脂等のプラスチック樹脂素材により形成されたものが広く知られている。この装飾パネルは、前面側（前面扉１０２から本体１０１内部の方向）から順番にプラスチック樹脂板、文字や絵柄のデザインに基づいて彩色を施した出力フィルム、光源からの光線を通過させるための開口部に裏打ちフィルムを加工し、これらを一体的に貼り合わせることにより成形されている。また、スロットマシン１００内には蛍光灯等からなる光源を有し、装飾パネルの裏面側から光源を照射することにより、出力フィルムに描かれた文字や絵柄が浮かび上がるように設計されている。
【００２７】
上述した装飾パネルのうち、腰部パネル１５２には管理用シール貼付用の透視窓１５５が設けられている。透視窓１５５は、無色透明のプラスチック樹脂板からなる装飾パネルの、出力フィルムに描かれた文字や絵柄が存在しない部位であり、裏面側（本体１０１内部から前面扉１０２の方向）から管理用シールを貼り付けることにより、透視窓１５５を介して腰部パネル１５２前面から管理用シールを識別できるようになるものである。
【００２８】
なお、管理用シール１７１の貼付場所は、腰部パネル１５２に限定されるものではなく、他のパネル内であっても、また他の専用に設けられたシール被貼付部位でも良い。本実施の形態においては、腰部パネル１５２を例として説明する。
【００２９】
＜制御部３００＞
図２は、スロットマシン１００の制御部３００の構成を示すブロック図である。図２を参照してスロットマシン１００の制御部３００の構成について説明する。本実施の形態における制御部３００において、マイクロプロセッサ（以下、ＣＰＵと称す）３１０は、スロットマシン１００における制御の中枢となるものであり、バス３７０を介して、周辺部との間で制御信号やデータの受渡しが行われる。
【００３０】
乱数発生器３１１は、内部抽選等に用いられる乱数を発生させもので、複数のカウンタ、クロック発振器、分周器及びラッチ回路等から構成されている。乱数発生器３１１により発生させた乱数値は、バス３７０を介して、ＲＡＭ（ランダム・アクセス・メモリ）３１３の乱数記憶領域に記憶され、必要に応じてＣＰＵ３１０へ送られる。乱数値は、複数種類存在し、それぞれ処理内容に応じて使用される。
【００３１】
ＣＰＵ３１０には、入力インターフェース３６０およびバス３７０を介して、メダル投入ブロック１３４の投入口より投入されたメダルを検知するメダルセンサ３２０、スタートレバー１３５の操作を検知するスタートレバーセンサ３２１、ストップボタン１３７〜１３９のいずれかが押された場合、どのストップボタンが押されたかを検知するストップボタンセンサ３２２、メダル投入ボタン１３０〜１３２のいずれかが押下された場合、どのメダル投入ボタンが押されたかを検知するメダル投入ボタンセンサ３２３並びに精算ボタンスイッチ１３３が接続されている。
【００３２】
ＲＯＭ（リード・オンリー・メモリ）３１２は、各種制御を行うためのプログラムや、各種テーブルデータ等を記憶する記憶手段の一つである。ＲＡＭ（ランダム・アクセス・メモリ）３１３は、ＣＰＵ３１０によって処理されるプログラムのワークエリアを有し、可変データ等を記憶する記憶手段の一つである。
【００３３】
また、リール１１０〜１１２の回転と停止を行うモーター（図示せず）を制御するモーター制御部３３０及びメダル払出装置（いわゆるホッパー：図示せず）を制御するホッパー制御部３３１が、入出力インターフェース３３２及びバス３７０を介してＣＰＵ３１０に接続されている。
【００３４】
ランプ表示器類３４０は、入賞ライン表示ランプ（図示せず）等の各種表示器をまとめて表したものであり、インターフェース３４２およびバス３７０を介してＣＰＵ３１０に接続されている。楽音信号形成部３８０は、受け渡された制御信号やデータに基づいて楽音信号を形成して出力する。この楽音信号は、バス３７０および出力インターフェース３５０を介したＣＰＵ３１０からの指令で、アンプ３８１で増幅された後、スピーカ３８２（具体的には上部スピーカ及び中央スピーカ、図示せず）から音として出力される。
【００３５】
＜遊技の基本的制御＞
図３は、本実施の形態のスロットマシン１００における遊技の基本的制御を示すフローチャートである。遊技の基本的制御は、ＣＰＵ３１０が中心になって行い、電源断等を検知しないかぎり、同図の遊技処理を繰り返し実行する。以下、この遊技処理について説明する。
【００３６】
Ｓ１０１では、メダル投入に関する処理を行う。ここでは、メダルの投入の有無をチェックする。なお、前回の遊技で再遊技に入賞した場合はメダルの投入が不要である。メダル投入されると、Ｓ１０２では、遊技のスタート操作に関する処理を行う。ここでは、スタートレバー１３５が操作されたか否かのチェックを行い、スタート操作されたと判断した場合は、投入されたメダル枚数を確定する。
【００３７】
Ｓ１０３において、乱数発生器３１１で発生させた乱数を取得すると、Ｓ１０４では、Ｓ１０３で取得した乱数値と、ＲＯＭ３１２に格納されている入賞役抽選テーブルを用いて入賞役の抽選を行った後、Ｓ１０５において、Ｓ１０３で取得した乱数値を用いて、リール停止制御テーブルを選択し、各リール１１０〜１１２の回転を開始させる。
【００３８】
各リール１１０〜１１２が回転開始すると、Ｓ１０６において、ストップボタン１３７〜１３９の受け付けが可能になり、いずれかのストップボタンが押下されると、そのストップボタンに対応するリール１１０〜１１２の何れかをリール停止制御テーブルに基づいて停止させる。
【００３９】
このリール停止操作に基づき、Ｓ１０７では入賞判定を行う。ここでは、有効化された入賞ライン上に、入賞役に対応する絵柄組合せが表示された場合、その入賞役に入賞したと判定する。例えば、有効化された入賞ライン上（図１の１１０〜１１２の表示窓上に表記されたライン）に、「ベル−ベル−ベル」が揃っていた場合、ベル入賞と判定し、「赤７−赤７−赤７」が揃っていた場合、ビッグボーナス入賞と判定する。
【００４０】
Ｓ１０７での入賞判定において、払い出しの必要な何らかの入賞役に入賞している場合、Ｓ１０８では、その入賞役に対応する枚数のメダルを払い出すことになる。
【００４１】
その後、Ｓ１０９では、遊技状態制御が実行される。この遊技状態制御では、遊技の種類を移行するための制御が行われ、例えば、ＢＢ入賞の場合、次回からＢＢゲームを開始できるよう準備し、ＢＢゲームの最終遊技の場合、次回から通常遊技が開始できるよう準備する。
【００４２】
以上により１ゲームが終了し、以降これを繰り返すことにより遊技が進行することとなる。
【００４３】
次に、本実施の形態にかかるスロットマシン１００のシール貼付構造について図面を参照しつつ説明する。
【００４４】
＜実施の形態１＞
図４を参照して、スロットマシン１００、特に腰部パネル１５２への管理用シール１７１の貼付構造の一実施の形態について説明する。図４は、本発明にかかるシール貼付構造を説明するための腰部パネル１５２の分解斜視図である。
【００４５】
腰部パネル１５２は、前面扉１０２から取り外し可能であり、図示のように、前面扉１０２の所定の箇所に前面扉１０２の前面側から、腰部パネル１５２の係合爪１５８が前面扉１０２の所定の被係合溝１０３に係合されることにより前面扉１０２に固定支持される。
【００４６】
係合爪１５８は、図示のように腰部パネル１５２の上縁端と下縁端（図示せず）にそれぞれ２個ずつ設けられており、この係合爪１５８が係合される位置に対応するように、被係合溝１０３が前面扉１０２に設けられている。係合爪１５８は、図示のように腰部パネル１５２の各縁部に２個ずつ設けたが、これに限定されるものではなく、３個以上又は１個だけ設けることも可能である。腰部パネル１５２の前面扉１０２への係合後、腰部パネル１５２の固定支持をより強固なものにするため、裏面から更にビス止め等することも可能である。
【００４７】
係合爪１５８の形状は、腰部パネル１５２の下縁側を前面扉１０２の下側の被係合溝１０３から係合させると、腰部パネル１５２の固定支持が容易になるように設計されている。
【００４８】
腰部パネル１５２を前面扉１０２に係合させる前に、管理用シール１７１、補助シール１７０を腰部パネル１５２の裏面から透視窓１５５に貼付するが、前面扉１０２の正面から透視窓１５５を見て、管理用シール１７１に印刷された文字や絵柄等が十分に視認可能となるような状態とする。
【００４９】
ここで、補助シール１７０は、従来の遊技台において設けられていなかったものであり、管理用シール１７１の腰部パネル１５２への貼付を補助する働きを有している。即ち、従来の遊技台においては、規格の決まっていた管理用シール１７１を単に装飾パネルの所定の領域に貼付していただけであるので、使用される装飾パネルの材質、材料等によっては、管理用シールに塗布された接着剤で貼付できないか、又は貼付可能であってもすぐに剥離してしまうものもあった。
【００５０】
本実施の形態のように、管理用シール１７１と腰部パネル１５２との間に補助シール１７０を介在させることにより、種々の接着方法、例えば静電気を用いた接着（法）を選択可能となるばかりでなく、腰部パネル１５２に貼付するための管理用シール１７１に使用されている接着剤との相性を考慮に入れる必要が無いため、腰部パネル１５２の作製上の自由度が広がると共に、管理用シール１７１の確実な貼付を保証する。
【００５１】
更に、補助シール１７０を介在させたことにより、管理用シール１７１を剥離する必要が生じた場合、補助シール１７０と管理用シール１７１を一体で剥離可能となるので、従来の遊技台と比較して、管理用シール１７１を破損させることなく容易に剥離可能となる。なお、管理用シール１７１と補助シール１７０との接着（貼付）及び補助シール１７０と腰部パネル１５２との接着の詳細については後述する。
【００５２】
腰部パネル１５２に貼付される管理用シール１７１に印刷される内容としては、
１．特定団体の管理下にある旨証明するもの、
２．特許に関する許諾を受けている旨を証明するもの、
３．音楽やその他の版権に関する許諾（ＪＡＳＲＡＣ等）を証明するもの、
を挙げられるが、これら以外の内容が印刷されていることも可能である。
【００５３】
次に、管理用シール１７１と補助シール１７０の構造及びこれらの腰部パネル１５２への貼付構造について図５〜図８を参照しつつ説明する。図５は、管理用シール１７１と補助シール１７０のそれぞれについての外形を説明するための斜視図である。なお、これ以降の図面で、管理シール１７１及び補助シール１７０に付されている斜線は接着剤等の塗布面を示す。
【００５４】
図５（ａ）に示すように、管理用シール１７１と補助シール１７０を比較すると、両方共に方形状に形成されている点で共通するが、補助シール１７０の平面形状は、管理用シール１７１より平面方向で大きくしている。これらの大きさがほぼ同じであると管理用シール１７１を補助シール１７０に貼付させた場合、例えば貼付時のズレから管理用シール１７１の接着剤がそのまま装飾パネルに付いてしまうおそれがあるからである。これにより、管理用シール１７０の貼り直しが必要となった場合に作業が困難となる。なお、管理用シール１７１および補助シール１７０は、方形状に形成したが、これに限定されるものではなく、例えば円形又は多角形とすることも可能である。
【００５５】
また、補助シール１７０を管理用シール１７１と比較して、図５（ａ）に示したように完全に平面方向で大きくなるように形成するが、補助シール１７０と管理用シール１７１を貼付した場合に補助シール１７０の少なくとも一部が平面方向にはみ出るように形成することも可能である。これは、管理用シール１７１を剥離する際に、補助シール１７０の少なくとも一部がはみ出ていれば、この部分をつまむことにより、剥離の容易性は確保できるからである。更に、補助シール１７０を管理用シール１７１と比較して、両者の平面形状を平面方向で同じに形成することも可能である。
【００５６】
このように、補助シール１７０がはみ出るようにしたことにより、例えば図５（ｂ）に示すように、このはみ出た補助シール１７０の一部分について、略凸状のタグを形成した補助シール１６９とすることも可能である。補助シール１７０は、これを剥がす必要が生じた場合に管理用シール１７１と比べて剥がし易さを目的とした仕様となっているので、図５（ｂ）の補助シール１６９のように一部が剥がす際に持ちやすい構造となっていれば、作業効率の向上が図れる。
【００５７】
また、補助シール１７０と管理用シール１７１の平面形状が平面方向で同じであった場合でも、略凸状のタグを補助シールに形成すれば、剥離作業に悪影響を与えることはない。
【００５８】
図５（ｃ）は、管理用シール１７１、補助シール１７０及び透視窓１５５の接着順（接着関係）をあらわした斜視図である。接着の順番は、原則として任意であるが、管理用シール１７１を補助シール１７０に貼付し、その後、一体となった管理用シール１７１及び補助シール１７０を腰部パネル１５２の透視窓１５５に貼付するのが一般的である。しかしながら、最初に補助シール１７０を透視窓１５５に貼付し、その後、管理用シール１７１を補助シール１７０に貼付することも可能である。
【００５９】
次に、図６により、管理用シール１７１、補助シール１７０及び透視窓１５５の貼付構造について説明する。図６（ａ）は、透視窓１５５、補助シール１７０及び管理用シール１７１の貼付形態を裏面側から示した斜視図であり、上述したように裏面側から管理用シール１７１、補助シール１７０及び透視窓１５５の順序で接着させる。尚、図中のＡ−Ａは、管理用シール１７１、補助シール１７０及び透視窓１５５を貼付させた場合の断面を示すものである。
【００６０】
図６（ｂ）は、図６（ａ）のＡ−Ａ線による管理用シール１７１と補助シール１７０の拡大断面図である。管理用シール１７１及び補助シール１７０は、図示のようにこれらの基材面に接着層を設けた二層構造となっている。本実施の形態において、管理用シール１７１及び補助シール１７０は、それぞれ二層構造としたが、より多層構造とすることも可能である。
【００６１】
管理用シール１７１の基材１７１ａの表面側（前面側）には、文字や絵柄が印刷され、更にその表面側には、補助シール１７０と接着するための接着層１７１ｂを形成する構造となっている。管理用シール１７１の基材１７１ａとしては、紙や樹脂を含んだ紙状のもの等が用いられ、基材１７１ａの印刷面の保護のため、その印刷面に表面保護剤（例：シリコン剤）が塗布される（図示せず）。更にその表面側には、上述したように接着層１７１ｂが設けられ、通常、接着剤が塗布されている。
【００６２】
補助シール１７０についても同様に、補助シール１７０の基材１７０ａの表面側に接着剤としての接着層１７０ｂが塗布されている二層構造となっている。通常、管理用の接着層１７１ｂと補助シールの接着層１７０ｂは、剥離紙（図示せず）が貼付されている状態で保管されている。
【００６３】
図６（ｃ）は、図６（ａ）のＡ−Ａ線による管理用シール１７１と補助シール１７０が腰部パネル１５２に貼付された断面図である。腰部パネル１５２に、補助シール１７０の接着層１７０ｂ側を貼付し、補助シール１７０の基材１７０ａ側と管理用シール１７０の接着層１７１ｂ側を貼付している。
【００６４】
管理用シール１７１の接着層１７１ｂへの貼付は、非常に強力な接着力を有して行われるのが一般的である。この管理用シール１７１には管理番号等の必要な情報が個々に付与されているために、一旦貼付したものを剥がして他の機体に貼付することを見込んではいないからである。従って、管理用シール１７１の貼り直しをする必要が生じた場合、その多くは管理用シール１７１の基材１７１ａ自体が破損するか、又は管理用シール１７１の接着層１７１ｂのみが剥がれないまま腰部パネル１５２の透視窓１５５に残るなどの状態となる。
【００６５】
これを鑑み、管理用シール１７１と補助シール１７０を貼付した状態で一体的に剥がすのが好ましい。その場合、補助シール１７０が剥がれるように、補助シール１７０の接着層１７０ｂは、接着層１７０ｂに使用される接着剤自体の材質を管理用シール１７１の接着層１７１ｂより若干弱いもの選択する。即ち、補助シール１７０の透視窓１５５への貼付力は、管理用シール１７１の補助シール１７０への貼付力より小さくする。これにより、管理用シール１７１は、補助シール１７０に貼付されたまま一体的に剥離可能となり、剥離後の管理用シール１７１を新たな場所へ貼付することができ、上述した基材１７１ａの破損等を回避できる。
【００６６】
上述したように、貼付力に強弱を付けるようにしたが、これに限定されるものではなく、補助シール１７０の透視窓１５５への貼付力と管理用シール１７１の補助シール１７０への貼付力を同程度とすることも可能である。即ち、補助シール１７０に使用される接着層１７０ｂとしての接着剤について、補助シール１７０と透視窓１５５間の貼付は、管理用シール１７１の補助シール１７０への貼付と同程度に保証するが、管理用シール１７１の剥離の必要性が生じた場合に透視窓１５５から剥ぎ取りやすいという性質の接着剤を使用することにより、上述した同程度の貼付力も可能となる。
【００６７】
＜実施の形態２＞
次に、管理用シール１７１及び透視窓１５５の間に介在される補助シール１７０の別の実施の形態について説明する。図７は、補助シール１７０の別の実施の形態である新たな補助シールについて図示したものである。上述した実施の形態においては、管理用シール１７１を平面方向に大きく形成した補助シール１７０の枠内で接着するように貼付させたが、本実施の形態において、補助シール１７０に貼付の際の目印として所定の記号を設けて作業効率の向上を図ろうとするものである。この記号は、目印となればどのような形状であっても良く、本実施の形態において、記号として線画を用いて説明する。
【００６８】
図７（ａ）は、目印としての線画を設けた補助シール１７０と、これに貼付させる管理用シール１７１の斜視図を示している。それぞれの線画は、予め印刷されたものである。この線画１７５は、管理用シール１７１を補助シール１７０に貼付する際に目安となるように、補助シールの外形と同形とした。線画１７５に合わせるように管理用シール１７１を貼付すれば、目印が何も無いものと比較して格段と作業性は向上する。
【００６９】
この管理用シール１７１用の線画１７５の他に、更に線画１７６を設けることが可能である。この線画１７６を腰部パネル１５２の透視窓１５５とほぼ同形に形成することにより、管理用シール１７１を補助シール１７０に貼付後、次にこれらを腰部パネル１５２の透視窓１５５に貼付する際の目安とすることが可能である。
【００７０】
管理用シール１７１を補助シール１７０に貼付した後、管理用シール１７１の外側に描かれた線画１７６を目安に、管理用シール１７１の外側に残る補助シール１７０の透明な部位を透かすように腰部パネル１５２に近づけると、補助シール１７０に描かれた線画と、腰部パネル１５２の透視窓１５５の外枠が合うようになる。透明な材質の補助シール１７０は手作業で貼付するので、線画のような位置決めの目安となるものが作業を容易とする。
【００７１】
なお、線画は腰部パネルの透視窓１５５の外形でなくても、一部目印となるものでも良い。例えば図７（ｂ）及び（ｃ）に示すように、貼付時の最初に位置決めできるものを四隅の一部を記したものでも良い。
【００７２】
また、線画１７５及び線画１７６をそれぞれ印刷したが、印刷された線画の外形と同形の線画シート１７５及び線画シート１７６とすることも可能である。
【００７３】
＜実施の形態３＞
次に、管理用シール１７１及び透視窓１５５の間に介在される補助シール１７０の別の実施の形態について説明する。図８は、補助シール１７０の別の実施の形態である新たな補助シール１７３について図示したものである。
【００７４】
第１の実施の形態において、補助シール１７０全体に亘って中実の基材１７０ａ及び接着層１７０ｂを形成したが、本実施の形態では、補助シール１７０の一部に開口１７３ｃを設けた補助シール１７３とした。
【００７５】
図８（ａ）は、その開口１７３ｃを有する補助シール１７３の斜視図である。図示のように、補助シール１７３の略中央部分に開口１７３ｃを設けると共に、シール面の縁部のみ接着層（接着剤）を有するような構成とした。開口１７３ｃの大きさは、管理用シール１７１に実際に印刷されている印刷内容が目視にて認識可能となるような範囲とするのが好ましい。
【００７６】
これにより、補助シール１７３の接着面積が少なくなるため、剥離作業の必要性が生じた場合に一体的に貼付された補助シール１７３及び管理用シール１７１の剥離が容易となる。また、開口１７３ｃの範囲を上述した範囲とすることにより、補助シール１７３が介在することによる管理用シール１７１の印刷内容の見え難さも予防できる。
【００７７】
図８（ｂ）は、管理用シール１７１及び補助シール１７３を腰部パネル１５２の透視窓１５５の貼付した場合の断面図である。尚、これらの接着順序は、第１の実施の形態で説明した順序と同じ順序で相互に接着させる。
【００７８】
＜実施の形態４＞
次に、管理用シール１７１及び透視窓１５５の間に介在される補助シール１７０の更に別の実施の形態について説明する。図９は、補助シール１７０の別の実施の形態である新たな補助シール１７８（略Ｕ字型補助シール１７８）について図示したものである。
【００７９】
第１の実施の形態において、補助シール１７０全体に亘って中実の基材１７０ａ及び接着層１７０ｂを形成したが、本実施の形態では、第３の実施の形態における補助シール１７３のように、補助シール１７０の略中央部に開口を設けると共に、この開口から補助シール１７０の外縁部につながる切り欠き部１７９を設けている。
【００８０】
このような補助シール１７８とすることにより、上述した補助シール１７８の剥離の容易性を確保すると共に、貼付時に各シール間、例えば補助シール１７８と管理用シール１７１の間に混入した空気を抜くことができる。これは、第３の実施の形態における補助シール１７３の開口１７３ｃの場合、必要以上に管理用シール１７１と補助シール１７３の間に空気層が生成してしまうおそれがあり、この空気圧によって管理用シール１７１が剥がれないように貼付時に適当な空気除去手段を設けることなく空気の除去が可能となる。
【００８１】
＜実施の形態５＞
次に、管理用シール１７１及び透視窓１５５の間に介在される補助シール１７０の別の実施の形態について説明する。図１０は、補助シール１７０の別の実施の形態である新たな補助シール１８５について図示したものであり、図１０（ａ）は、本実施の形態の補助シール１８５の斜視図、図１０（ｂ）は、図１０（ａ）のＢ−Ｂ線の断面図である。
【００８２】
第３の実施の形態において、補助シールに開口１７３ｃを設けた補助シール１７３としたが、本実施の形態において、図１０（ａ）に示すように、基材１８５ａと接着層１８５ｂから構成される補助シール１８５が開口を有するほかに、基材１８５ａに通気道１８６を形成している。
【００８３】
通気道１８６は、補助シール１８５、特に基材１８５ａの開口部側から補助シール１８５の外縁部方向に向かって、断面が図１０（ｂ）に示すように、基材１８５ａと接着層１８５ｂとの接触面側を底辺として腰部パネル１５２から管理用シール１７１に向かって略三角形状となるような溝状に形成される。通気道１８６は、管理用シール１７１及び腰部パネル１５２との接着時又は接着後に混入した空気を通気可能にする役割を担っている。
【００８４】
通気道１８６の断面は、図１０（ｂ）に示したように、略三角形状とするのが一般的であるが、これに限定されるものではなく、腰部パネル１５２から管理用シール１７１の方向に突出していれば良く、例えば方形状又は半円形状とすることも可能である。また、通気道１８６の断面形状を腰部パネル１５２から管理用シール１７１の方向に形成したが、これとは逆であっても良い。即ち、通気道１８６の断面形状が、基材１８５ａと管理用シールの接着層１７１ｂとの接触面側を底辺として管理用シール１７１から腰部パネル１５２の方向に突出するように形成することも可能である。更に、通気道１８６を一本形成したが、二本以上形成することも可能である。
【００８５】
この溝状の通気道１８６の形成は、例えばシールを成形した後、シールは接着面の保護のために剥離紙と一体となって保管されるが、この一体成形時に所謂「筋押し」という技法を用いて予め所定の面に筋（通気道１８６）を形成される。「筋押し」とは、厚紙等にコテを用いて折り筋を入れて、折り筋を利用しての開閉を容易にするものである。また、通気道１８６の形成は、「筋押し」という技法に限定されるものではなく、補助シール１８５内に空気の抜ける溝が形成されれば良い。
【００８６】
＜実施の形態６＞
次に、管理用シール１７１及び透視窓１５５の間に介在される補助シール１７０の更に別の実施の形態について説明する。図１１は、補助シール１７０の別の実施の形態である新たな補助シールについて図示したものである。図１１（ａ）及び（ｂ）は、補助シール１７０は、接着剤を一部に塗布する例の斜視図である。
【００８７】
上述した実施の形態における補助シールは、その全面に亘って接着層を設ける、即ち接着剤を塗布するのが一般的である。しかしながら、これに限定されるものではなく、本実施の形態に示すように、接着剤を一部に塗布して、管理用シール１７１との間に接着状態にない領域である非接着状態領域を設けることも可能である。
【００８８】
図１１（ａ）の補助シール１２０１は、管理用シール１７１が貼付される補助シール１２０１の裏面の一部に接着剤の塗布しない面を有するものであり、裏面全面に塗布した場合と比較し、管理用シール１７１を手作業で剥がすことを容易にする利点がある。図１１（ｂ）の補助シール１２０２は、接着剤を所定の間隔を保持して塗布するものであり、例えば接着剤を線状に塗布し、各線が接しないよう塗布する。これにより、接着剤の塗布量を低減させ、手作業で剥がすことを容易にする効果がある。
【図面の簡単な説明】
【００８９】
【図１】本発明に係る遊技台の一例としてのスロットマシン１００の外観を示す正面図である。
【図２】スロットマシン１００の制御部３００の構成を示すブロック図である。
【図３】スロットマシン１００における遊技の基本的制御を示すフローチャートである。
【図４】スロットマシンの前面扉１０２の分解斜視図である。
【図５】（ａ）管理用シール１７１と補助シール１７０の斜視図、（ｂ）管理用シール１７１と一部分をタグ状に形成した補助シール１６９の斜視図、（ｃ）管理用シール１７１、補助シール１７０および透視窓１５５の接着順を示した斜視図である。
【図６】（ａ）補助シール１７０および管理用シール１７１を取り外した腰部パネル１５２の透視窓１５５への貼付を説明する斜視図、（ｂ）（ａ）のＡ−Ａ線による管理用シール１７１と補助シール１７０の拡大断面図、（ｃ）（ａ）のＡ−Ａ線による管理用シール１７１および補助シール１７０を腰部パネル１５２に貼付した場合の拡大断面図である。
【図７】（ａ）補助シール１７０に管理用シール１７１の外形と同外形の線画を設けた斜視図、（ｂ）及び（ｃ）管理用シール１７１の一部に線画を設けた正面図である。
【図８】（ａ）開口１７３ｃを有する補助シール１７３の斜視図、（ｂ）管理用シール１７１および補助シール１７３を腰部パネル１５２に貼付した場合の拡大断面図である。
【図９】切り欠き部を外縁部につながるように形成した補助シール１７８を管理用シー１７１と透視窓１５５に介在させた斜視図である。
【図１０】（ａ）開口部から外縁部につながる溝状の通気道を設けた補助シール１８５の斜視図、（ｂ）（ａ）のＢ−Ｂ線による断面図である。
【図１１】（ａ）一部に接着剤を塗布しない箇所を有する補助シール１２０１の斜視図、（ｂ）接着剤を筋状に塗布した補助シール１２０２の斜視図である。
【符号の説明】
【００９０】
１００              スロットマシン
１０１              本体
１０２              前面扉
１１１              左リール
１１２              中央リール
１１３              右リール
１３０              １枚ベットボタン
１３１              ２枚ベットボタン
１３２              ３枚ベットボタン
１３４              コイン投入口ブロック
１３５              スタートレバー
１３６              ストップボタンユニット
１３７〜１３９      ストップボタン
１５０              上部パネル
１５１              中央パネル
１５２              腰部パネル
１５５              透視窓
１５６              メダル排出口
１６６              受け皿
１７１              管理用シール
１７０              補助シール
１７３              開口有り補助シール
１７３ａ            開口
１７８              Ｕ字型補助シール
１８５              溝有り補助シール
１８６              溝有り補助シール溝穴
３００〜３７０      制御回路
Ｓ１０１〜Ｓ１０９  遊技処理
【図１】
2005052303.tif 000003
【図２】
2005052303.tif 000004
【図３】
2005052303.tif 000005
【図４】
2005052303.tif 000006
【図５】
2005052303.tif 000007
【図６】
2005052303.tif 000008
【図７】
2005052303.tif 000009
【図８】
2005052303.tif 000010
【図９】
2005052303.tif 000011
【図１０】
2005052303.tif 000012
【図１１】
2005052303.tif 000013